(57)【要約】【課題】人が出入り可能な内部空間を有する物置等において、施錠状態であっても内部空間側から容易に開錠することができる錠装置を提供する。【解決手段】錠装置は、キーロータと作動部材１８との間の遊び角θ３が、キーロータの中立位置を維持された状態で、作動部材１８のロック位置から解除位置への回動を許容するように設定されている。シリンダ錠４が施錠されてフック１５が係止位置にある際に、内側開錠レバー５３の回動操作によって作動部材１８をロック位置から解除位置に回動させることで、カムピン１９を介してフック１５を係止位置から退避位置に回動させることができる。【選択図】図８
2009024335.tif 000002
【特許請求の範囲】
【請求項１】
人が出入り可能な内部空間を有する物置等において扉の閉止状態を拘束するために使用される錠装置であって、
シリンダ錠取付部を有し、前記扉に取り付け固定されるボディと、
案内溝が形成され、前記ボディに基端部を軸支させ前記扉の相手側の部材に対して係止状態となる係止位置と退避状態となる退避位置との間で回動するフックと、
前記シリンダ錠取付部に取り付けられ、キー挿入穴に挿入されるキーにより施錠位置と開錠位置との間で回動操作されるキーロータを有するシリンダ錠と、
このシリンダ錠に配置され、前記キーロータを、施錠位置と開錠位置との間の中立位置に付勢する付勢部材と、
前記フックの前記案内溝に挿入されるカムピンを有し、前記キーロータの後部に当該キーロータの回動方向の遊び角を有して結合され、前記キーロータの開錠位置と施錠位置との間の回動に連動することに伴い、前記カムピンが前記案内溝に係合して前記フックを前記係止位置と退避位置とに移動させるロック位置と解除位置との間で回動する作動部材と、
この作動部材の前記内部空間側に回動操作可能に配置され、且つ前記作動部材と一体的に回動するように設けられた内側開錠レバーとを備え、
前記遊び角を、前記キーロータが中立位置に維持された状態で、前記作動部材のロック位置から解除位置への回動を許容するように設定し、
前記シリンダ錠が施錠されて前記フックが前記係止位置にある際に、前記内側開錠レバーの回動操作によって前記作動部材を前記ロック位置から解除位置に回動させることに伴い、前記カムピンを介して前記フックを前記係止位置から退避位置に回動させることを可能とする構成としたことを特徴とする錠装置。
【請求項２】
前記ボディの裏側に、前記キーロータの周方向またはその接線方向に沿うように、前記キーロータの外周近傍部に位置して形成されたスライド溝と、
前記ボディに、前記スライド溝の周方向または接線方向の中間部に位置して形成された窓部と、
前記スライド溝にこれに沿って往復動可能に設けられ、前記周方向または接線方向に区分された互いに異なる２つの表示を一体に有する表示部材と、
前記キーロータの外周部に所定角度を存して先端側が拡開する「ハ」の字状に突設され、前記キーロータと一体に回動すると共に、前記表示部材に交互に当接して前記表示部材を往復動させる一対の送りアームとを備え、
前記所定角度を、前記キーロータの施錠位置と開錠位置との間の回動角度の略３／２倍に設定し、
前記表示部材の周方向または接線方向の長さ寸法を、前記一対の送りアーム間における前記表示部材との両当接点間の周方向または接線方向の長さ寸法の略２／３倍に設定し、
前記窓部の周方向または接線方向の長さ寸法を、前記表示部材の周方向または接線方向の長さ寸法の略１／２倍に設定して、施錠時および開錠時に前記２つの表示が前記窓部から択一的に出現するように構成したことを特徴とする請求項１記載の錠装置。
【請求項３】
内側開錠レバーは、その回動中心軸と直交する方向へ延びる把持部を備え、
前記ボディに、前記把持部の回動範囲に臨む採光用開口部を設けたことを特徴とする請求項１又は２に記載の錠装置。
【請求項４】
前記ボディの裏側に、前記採光用開口部を覆う透光性部材を設けたことを特徴とする請求項３記載の錠装置。
【請求項５】
前記ボディの裏側に、前記フック、前記シリンダ錠及び前記作動部材を収容し且つ前記内側開錠レバーの把持部を前記内部空間側に露出させる容器状のカバーを設け、
前記カバーの側壁部に、前記フックの先端部を突出させる切欠部を形成し、
前記カバーの後壁部に、前記採光用開口部に対向する補助開口部を設けたことを特徴とする請求項３又は４に記載の錠装置。
【発明の詳細な説明】
【技術分野】
【０００１】
本発明は、人が出入り可能な内部空間を有する物置等において扉の閉止状態を拘束するために使用される錠装置に関する。
【背景技術】
【０００２】
従来より、例えば、物置の扉（引戸）に設けられる錠装置は、引戸に取り付け固定されるロータケースと、このロータケースに収容されるキーロータと、このキーロータの後端部に連結された係止部材とを備えて構成されている。この錠装置では、キーロータにキーを挿入してキーロータを回動させることにより、係止部材を物置本体に係脱させて扉の閉止状態の拘束とその解除とを行うようになっている。このように、錠装置は、係止部材を物置本体に係脱させる際（つまり施錠、開錠の際）に、その都度キーが必要となるのが一般である。
【０００３】
これに対して、キーによる本施錠と、キーを用いずに簡易的に施錠する、いわゆる仮施錠とを行うことを可能としたものがある（例えば特許文献１参照）。この錠装置では、ロータケースが、引戸に固定される固定ケース内に回動操作可能に配置されており、当該ロータケースの回動摘みの操作によって、キーロータ及び係止部材を一体的に回動させて仮施錠を行うことができる。この仮施錠時には、係止部材が物置本体に対して係止して扉の閉止状態を拘束するが、その係止をキーを用いずに、回動摘みの操作で解除できる。この錠装置において、キーによる本施錠を行うと、係止部材が物置本体に対して係止して扉の閉止状態を拘束すると共に、キーロータに連動するロックプレートによって固定ケースに対しロータケースがロックされる。このため、本施錠時には正規のキーを用いることによってのみ開錠できる。
【特許文献１】特開２００１−２００６６９号公報
【発明の開示】
【発明が解決しようとする課題】
【０００４】
上記の物置など、人の出入り可能な内部空間を有する構造体にあっては、その空間に人がいる状態で誤って施錠してしまうと、内側（内部空間側）から係止部材を動かすことができないため、物置内に人を閉じ込めてしまう問題がある。この点、特許文献１に記載の錠装置は、仮施錠の状態ではキーを用いずに開錠を行うことができるが、キーによる本施錠がなされると、ロータケースがロックされ内側から係止部材を動かすことができない状態になるため、依然として人を閉じ込めてしまう問題を内在している。
【０００５】
本発明は、上記事情に鑑みてなされたものであり、その目的は、人が出入り可能な内部空間を有する物置等において、施錠状態であっても内部空間側から容易に開錠することができる錠装置を提供することにある。
【課題を解決するための手段】
【０００６】
上記の目的を達成するために本発明は、人が出入り可能な内部空間を有する物置等において扉の閉止状態を拘束するために使用される錠装置であって、シリンダ錠取付部を有し、前記扉に取り付け固定されるボディと、案内溝が形成され、前記ボディに基端部を軸支させ前記扉の相手側の部材に対して係止状態となる係止位置と退避状態となる退避位置との間で回動するフックと、前記シリンダ錠取付部に取り付けられ、キー挿入穴に挿入されるキーにより施錠位置と開錠位置との間で回動操作されるキーロータを有するシリンダ錠と、このシリンダ錠に配置され、前記キーロータを、施錠位置と開錠位置との間の中立位置に付勢する付勢部材と、前記フックの前記案内溝に挿入されるカムピンを有し、前記キーロータの後部に当該キーロータの回動方向の遊び角を有して結合され、前記キーロータの開錠位置と施錠位置との間の回動に連動することに伴い、前記カムピンが前記案内溝に係合して前記フックを前記係止位置と退避位置とに移動させるロック位置と解除位置との間で回動する作動部材と、この作動部材の前記内部空間側に回動操作可能に配置され、且つ前記作動部材と一体的に回動するように設けられた内側開錠レバーとを備え、前記遊び角を、前記キーロータが中立位置に維持された状態で、前記作動部材のロック位置から解除位置への回動を許容するように設定し、前記シリンダ錠が施錠されて前記フックが前記係止位置にある際に、前記内側開錠レバーの回動操作によって前記作動部材を前記ロック位置から解除位置に回動させることに伴い、前記カムピンを介して前記フックを前記係止位置から退避位置に回動させることを可能とする構成としたことを特徴とする。
【発明の効果】
【０００７】
本発明によれば、キーロータと作動部材との間に前記遊び角を設けたので、キーロータの中立位置を維持した状態で（つまりキーを用いずに）、内側開錠レバーの操作により作動部材をロック位置から解除位置に回動させることができると共に、この作動部材の回動に伴いフックを係止位置から退避位置に回動させて扉の閉止状態を解除することができる。この場合、内側開錠レバーは、キーロータの後部に設けられた作動部材の内部空間側に配置されており、又、前記遊び角の分の回動操作のみでフックを退避状態にできるので、内部空間側から容易に開錠することができる。
【発明を実施するための最良の形態】
【０００８】
以下、本発明の一実施形態について図１乃至図８を参照しながら説明する。図１（ａ）及び（ｂ）は施錠時における錠装置の正面図及び背面図を示し、図２は錠装置の構成部品を分解した状態の斜視図を示している。また、図３は、図１（ａ）のＡ−Ａ線に沿う断面図を示している。
【０００９】
錠装置のボディ１は、全体として矩形板状をなし、その中央部に円形に切り欠いた中央孔２が形成されている。このボディ１の裏側には（図２参照）、中央孔２の近傍に左右一対の小ボス部３が突設されている。これら中央孔２及び小ボス部３は、シリンダ錠４を取り付けるためのシリンダ錠取付部に相当する。また、ボディ１裏側の周縁部には、後方へ突出するリブ５が設けられていると共に、リブ５の内側に位置して４つのボス部６が設けられている。
【００１０】
ボディ１の裏側には、ボディ１の後面及び外周を覆うカバー７が設けられている。カバー７は、略矩形板状をなす後壁部７ａとその外周部に設けられた側壁部７ｂとを一体に有し、全体として矩形容器状に形成されている。カバー７の側壁部７ｂには、図２に示すような「Ｌ」の字状の切欠部８が形成されており、後壁部７ａには、前記中央孔２に対向する露出孔９と、前記ボス部６に対応する４つのねじ用孔部１１が形成されている。図３に示すように、ボディ１は、物置の扉１０の取付孔部１０ａに対し、リブ５を前側（物置の外側）から挿入させ、カバー７の側壁部７ｂを後側（物置の内部空間側）から嵌合させてある。この状態で、後壁部７ａのねじ用孔部１１に挿通されたねじ１１ａが夫々ボス部６に螺挿されることにより、ボディ１が扉１０に取り付け固定されている。
【００１１】
図２に示すように、ボディ１の上部には、後方へ突出する筒状のピン保持部１２と緩やかな円弧状の受け部１３とが設けられている。ピン保持部１２には支持ピン１４が装着されていると共に、この支持ピン１４により、長尺板状のフック１５が回動可能に設けられている。フック１５の基端部１５ａに、支持ピン１４を挿通させる孔部１６と、基端側が広がる湾曲状の案内溝１７が形成されている。フック１５の先端部は、鎌状の係止部１５ｂを備え、側壁部７ｂの切欠部８から突出するように延設されている（図１（ｂ）参照）。フック１５の案内溝１７内に、後述する作動部材１８のカムピン１９（図２、図５参照）が係合するようになっている。この作動部材１８の回動によって、フック１５が、支持ピン１４を支点として、扉１０の相手側の部材（例えば物置本体）に対して係止状態となる係止位置（図１、図７（ｂ）参照）と退避状態となる退避位置（図７（ｄ）、図８（ｂ）参照）との間で回動するようになっている。尚、ボディ１の受け部１３は、後端部でフック１５を摺接させるように、フック１５の回動範囲に沿って形成されている（図３、図５参照）。
【００１２】
前記シリンダ錠取付部には、シリンダ錠４が配置されている。シリンダ錠４は、軸方向に延びるキー挿入穴２０ａ（図６（ａ）等参照）を有するキーロータ２０と、このキーロータ２０を回転可能に収容するロータケース２１とを備えている。図４（ａ）は、このシリンダ錠４の背面側からの拡大斜視図を示し、図４（ｂ）は、キーロータ２０とボディ１の背面側からの斜視図を示している。また、図６は、図４（ａ）のＢ−Ｂ線に沿う縦断正面図を示している。
【００１３】
ロータケース２１は、略円筒状をなすロータケース本体２２と、外周部に一対の取付孔部２３ａを有するフランジ部２３とを一体に備えている。ロータケース２１は、取付孔部２３ａに後方から挿通したねじ２４（図２参照）を、小ボス部３に螺挿させることによりボディ１に取り付けられている。フランジ部２３の上部には、後述する表示部材２５を裏面側から覆う扇状部２３ｂが形成されていると共に、前面側に表示部材２５を上下で挟むガイド部２６ａ，２６ｂ（図６参照）が形成されている。このフランジ部２３前面側の下部には、正面視にて「ハ」字状の段部２７ａ，２７ｂが形成されている。図３、図４（ａ）に示すように、フランジ部２３の扇状部２３ｂには、表示部材２５用の節度付与手段２８が設けられている。この節度付与手段２８は、前側が開放された収容部２８ａと、この収容部２８ａに収容された圧縮コイルばね２８ｂ及びボール２８ｃとからなる。ロータケース２１の内周部には、軸方向に延びるタンブラ係合溝２９（図３、図６（ａ）参照）が、対向する２箇所に形成されている。
【００１４】
図２に示すように、キーロータ２０は、ボディ１の中央孔２に臨むフランジ３１と、略円柱状をなすロータ本体３０を一体に備えている。フランジ３１には、前端部にシャッタ３３（図２参照）を配した状態で、前側からキャップ３２が装着されている。キャップ３２には、キー挿入穴２０ａに連通するキー挿入口３２ａ（図１（ａ）参照）が形成されている。シャッタ３３は、図示しないばねによりキー挿入口３２ａを閉塞する方向へ付勢されると共にキー挿入口３２ａへの正規のキーＫ（図３参照）の挿入を許容するように構成されており、シリンダ錠４内に雨水や埃などが浸入しないようになっている。
【００１５】
ロータ本体３０のフランジ３１側には、ロータ本体３０に比し径小な径小部３４（図２参照）が形成されており、径小部３４の外周部に、径方向内側へ窪む複数の取付凹部３５ａ，３５ｂ（図６（ａ）参照）が略等間隔で形成されている。この径小部３４の外周部には、一対の送りアーム３７ａ、３７ｂを有するリング部材３６が装着されている。リング部材３６及び送りアーム３７ａ、３７ｂは、可撓性を有する合成樹脂材料（例えばＰＯＭ）から一体成形されており、送りアーム３７ａ、３７ｂがリング部材３６の外周側に所定角度θ１（図６（ｄ）参照）を存して先端側が拡開する「ハ」の字状に突設されている。リング部材３６は、略「Ｃ」の字状をなし、取付凹部３５ａに嵌り込む両端部の爪部３６ａ（図６（ｂ）参照）と、取付凹部３５ｂに係合する凸部３６ｂとを備え、キーロータ２０と一体に回動するように構成されている。この回動の際、送りアーム３７ａ，３７ｂがロータケース２１側の段部２７ａ，２７ｂに夫々当接することにより、キーロータ２０の回動角度θ２（図６（ｄ）参照）は、図６（ｂ）に示す施錠位置と図６（ｄ）に示す開錠位置との間の角度（例えば９０度）に規制される。また、送りアーム３７ａ，３７ｂ間の所定角度θ１は、キーロータ２０の回動角度θ２の３／２倍（つまり１３５度）に設定されている。
【００１６】
図２に示すように、ボディ１の裏側には、キーロータ２０の外周近傍部に位置して、その周方向に沿うスライド溝３８が形成されている。スライド溝３８には、周方向の中間部に位置して窓部３９が形成されていると共に、表示部材２５が往復動可能に設けられている。表示部材２５は、周方向に区分された互いに異なる２つの色（例えば赤色Ｒと青色Ｂ）の合成樹脂材料（例えばＡＢＳ）からなり、二色成形法により一体成形されている。表示部材２５の後部側には、赤色Ｒ及び青色Ｂの部分に夫々節度用凹部２５ａ、２５ｂが形成されている。この表示部材２５は、キーロータ２０が回動する際、一対の送りアーム３７ａ，３７ｂが交互に当接することによって往復動すると共に、一方の節度用凹部２５ａにボール２８ｃが嵌合することにより窓部３９から赤色Ｒが出現する位置（図４、図６（ｂ）参照）で保持され、他方の節度用凹部２５ｂにボール２８ｃが嵌合することにより窓部３９から青色Ｂが出現する位置（図６（ｄ）参照）で保持される。また、表示部材２５の移動の際、節度用凹部２５ａ、２５ｂにボール２８ｃが嵌合するときに、使用者に節度感が与えられる。図４（ａ）に示すように、表示部材２５の周方向の長さ寸法Ｌ１は、一対の送りアーム３７ａ，３７ｂ間における表示部材２５との両当接点間（Ｐ，Ｐ間）の周方向の長さ寸法Ｌ２の略２／３倍に設定されている。また、窓部３９の周方向の長さ寸法Ｌ３（図１（ａ）参照）は、表示部材２５の長さ寸法Ｌ１の略１／２倍に設定されている。
【００１７】
ロータ本体３０には、径方向に貫通するタンブラ配置溝４０が、ロータ本体３０の軸方向に列をなすように複数個形成されると共に、各タンブラ配置溝４０に板状のタンブラ４１が移動可能に挿入されている。各タンブラ４１は、図示しないばねにより径方向の外側へ付勢されている。ロータ本体３０及びロータケース本体２２の夫々の後部には、逆「ハ」の字状のばね掛部３０ａ，２２ａ（図４（ａ）参照）が連なるように形成されており、ロータケース本体２２の外周部に、ねじりコイルばね４２（付勢手段に相当する）が配置されている。ねじりコイルばね４２は、その両端がばね掛部３０ａ，２２ａに沿うように係止され、キーロータ２０を前記施錠位置と開錠位置との間の中立位置（図４（ａ）、図６（ａ）、図６（ｃ）参照）に付勢するように構成されている。
【００１８】
図４に示すように、ロータ本体３０の後端部には、台形円錐部４３ａとその周縁部の「Ｃ」の字状の段部４３ｂとからなる結合部４３が一体に設けられている。
また、ロータ本体３０の後端部には、図５に示すような板状の作動部材１８が配置されている。作動部材１８の中央部には、上下一対の小孔４４と、結合部４３を挿通させる結合穴４５が形成されている。結合穴４５には、結合部４３の段部４３ｂと周方向に係合可能な凸部４５ａが内周側へ突設されていて、ロータ本体３０の結合部４３が挿通されることにより、作動部材１８とキーロータ２０が、回動方向のギャップを有して結合するようになっている。この場合、作動部材１８は、キーロータ２０の施錠位置と開錠位置との間の回動に連動して、図７（ｂ）に示すロック位置と図７（ｄ）に示す解除位置との間で回動する。また、ギャップとしての遊び角θ３（図７（ｂ）参照）は、作動部材１８がロック位置又は解除位置に維持された状態で、キーロータ２０の中立位置への復帰を許容する角度（例えば４５度）に設定されている。
【００１９】
作動部材１８は、上下に第１扇状部１８ａと第２扇状部１８ｂを一体に備えており、第１扇状部１８ａの外周部には、前記支持ピン１４を挿通させる円弧溝４６が形成されている。また、第１扇状部１８ａの上端部には、フック１５の案内溝１７に挿入されるカムピン１９が設けられており、作動部材１８がロック位置と解除位置との間で回動することに伴い、カムピン１９を介してフック１５を前記係止位置と退避位置とに移動させるようになっている。
【００２０】
第２扇状部１８ｂの前面側には、節度用凹部４７ａ、４７ｂが形成されていると共に、ボディ１には、節度用凹部４７ａ、４７ｂに対応する節度付与手段４８が設けられている。節度付与手段４８は、ボディ１後面に設けられた筒状の収容部４８ａと、この収容部４８ａに収容された圧縮コイルばね４８ｂ（図２参照）及びボール４８ｃとからなり、一方の節度用凹部４７ａにボール４８ｃが嵌合することで作動部材１８をロック位置に保持し、他方の節度用凹部４７ｂにボール４８ｃが嵌合することで作動部材１８を解除位置に保持するように構成されている。また、作動部材１８の回動の際、節度用凹部４７ａ、４７ｂにボール４８ｃが嵌合するときに、使用者に節度感が与えられる。
【００２１】
図５に示すように、作動部材１８の後面側には、台形円錐部４３ａの外周を覆う円環状の取付部材４９が配置されている。取付部材４９の外周部には、径方向内側へ窪む取付凹部５０（図５参照）が９０度間隔で設けられている。取付部材４９は、作動部材１８と一体に回動するよう、前面側に有する一対のピン部５１（図２、図５参照）を、作動部材１８の小孔４４に挿通させている。そして、取付部材４９に挿通したねじ５２が、台形円錐部４３ａに螺挿されることにより、取付部材４９の軸方向への移動が不能に係止されている。
【００２２】
作動部材１８の後面側には、内側開錠レバー５３が、カバー７の露出孔９から露出するように配置されている。内側開錠レバー５３は、取付部材４９を後側から覆う円形の皿状部５４と、その中心軸Ｓ（図３参照）に対し直交する方向へ延びる把持部５５を一体に備えている。皿状部５４の内部には、前記取付凹部５０と嵌合する爪部５４ａ（図３参照）が形成されており、把持部５５の回動操作によって、内側開錠レバー５３が取付部材４９ひいては作動部材１８と一体的に回動するように構成されている。本実施形態では、把持部５５は、前後方向から見て（図８参照）フック１５や作動部材１８の扇状部１８ａ，１８ｂ等の他の部材と重ならないように設けられており、その回動中心軸Ｓの下側において４５度の範囲で回動する。
【００２３】
図１に示すように、ボディ１には、把持部５５の回動範囲に臨む複数のスリット孔からなる採光用開口部５６が形成されている。ボディ１の裏側には、採光用開口部５６を覆う矩形板状の透光性部材５７が配置されている。透光性部材５７は、透明樹脂材料（例えばＰＣ）から構成されていると共に、採光用開口部５６から錠装置内（物置内）へ雨水等が浸入しないようボディ１に対し水密に取り付けられている。また、カバー７の後壁部７ａには、採光用開口部５６に対向する位置に、複数のスリット孔からなる補助開口部５８が形成されている。
【００２４】
次に、以上のように構成された錠装置の作用について図６及び図７を参照しながら説明する。図７は、図３のＣ−Ｃ線に沿うフック１５、作動部材１８、及びキーロータ２０の結合部４３の縦断正面図を示している。
【００２５】
図６（ａ）に示す開錠時においては、表示部材２５はボディ１の窓部２８から青色Ｂが出現する位置に移動されている。また、図７（ａ）に示すように、作動部材１８が解除位置にあり、フック１５が扉１０の相手側の部材、この場合図示しない物置本体に対して係止が外れた退避位置にあるため、扉１０を自由に開閉することができる、さらに、キーロータ２０は中立位置にあり、キー挿入穴２０ａに何も挿入されていない状態では、各タンブラ４１がタンブラ配置溝４０からロータケース２１のタンブラ係合溝２９内に突出した状態となっている。
【００２６】
キー挿入穴２０ａにキーＫが挿入されると、そのキーＫにより各タンブラ４１が前記ばねの付勢力に抗してタンブラ配置溝４０内に収容されるように移動される（図３参照）。この状態においては、キーロータ２０の回転が可能となっており、キーＫの回動操作により、キーロータ２０がねじりコイルばね４１の付勢力に抗して、図６（ａ）中、矢印Ｄ１方向（反時計回り方向）へ回動される。この回動の際に、一方の送りアーム３７ａは、表示部材２５に当接して、ボディ１の窓部２８から赤色Ｒが出現する位置までスライドさせ（図６（ｂ）参照）、他方の送りアーム３７ｂは、ロータケース２１の段部２７ａに当接してキーロータ２０の回動を規制する。また、このキーロータ２０の施錠位置への回動に伴い、作動部材１８が図７（ａ）中、矢印Ｄ１方向へ回動すると、作動部材１８のカムピン１９が案内溝１７内に係合しながら移動して、フック１５を支持ピン１４を支点に矢印Ｄ２方向（反時計回り方向）へ回動させる。そして、作動部材１８が解除位置からロック位置まで４５度回動されると、フック１５は、退避位置から係止位置まで９０度回動した横向きの状態となる（図７（ｂ）参照）。このとき、フック１５の係止部１５ｂが物置本体に対して係止すると共に、作動部材１８が節度付与手段４８によって前記ロック位置で保持され、ボディ１の窓部２８から赤色Ｒが覗く施錠状態となる。この状態でキーＫの回動操作力を解除すると、キーロータ２０は、作動部材１８に対する前述した遊び角θ３を有し且つねじりコイルばね４１により矢印Ｄ３方向（図６（ｂ）、図７（ｂ）参照）へ付勢されているため、作動部材１８がロック位置に維持された状態で、中立位置に復帰する（図６（ｃ）、図７（ｃ）参照）。
【００２７】
また、表示部材２５の長さ寸法Ｌ１を前述した送りアーム３７ａ，３７ｂ間の長さ寸法Ｌ２の略２／３倍に設定し、且つ送りアーム３７ａ，３７ｂ間の所定角度θ１をキーロータ２０の回動角度θ２の３／２倍に設定したので、キーロータ２０が中立位置に復帰する際に、表示部材２５の位置が変わらぬようになっており（図６（ｂ）、（ｃ）参照）、窓部２８からの赤色Ｒの表示が維持される。
【００２８】
図１、図６（ｃ）は、上記の施錠が行われキー挿入穴２０ａからキーＫを引き抜いた状態を示しており、各タンブラ４１がロータケース２１のタンブラ係合溝２９内に突出した状態となっている。また、扉１０は、施錠によりその閉止状態が拘束されている。これを開錠するには、キーＫを用いた通常の操作による場合と、キーＫを用いずに内側開錠レバー５３を操作する場合との２つの方法がある。
【００２９】
先ず、キーＫを用いた外側からの通常の開錠方法について説明する。図６（ｃ）に示すキーロータ２０に対し、キー挿入穴２０ａにキーＫが挿入されると、そのキーＫにより各タンブラ４１がタンブラ配置溝４０内に収容されるように移動される。そして、キーＫが図６（ｃ）中、矢印Ｄ３方向（時計回り方向）へ回動操作されると、そのキーＫとキーロータ２０が一体に回動する。この回動の際に、一方の送りアーム３７ｂは、表示部材２５に当接して、ボディ１の窓部２８から青色Ｂが出現する位置までスライドさせ（図６（ｄ）参照）、他方の送りアーム３７ａは、ロータケース２１の段部２７ｂに当接してキーロータ２０の回動を規制する。また、このキーロータ２０の開錠位置への回動に伴い、作動部材１８が図７（ｃ）中、矢印Ｄ３方向へ回動すると、カムピン１９を介して、フック１５を矢印Ｄ４方向（時計回り方向）へ回動させる。そして、作動部材１８がロック位置から解除位置まで４５度回動されると、フック１５は、退避位置から係止位置まで９０度回動した縦向きの状態となる（図７（ｄ）参照）。このとき、フック１５の係止部１５ｂが物置本体に対して退避すると共に、作動部材１８が節度付与手段４８によって解除位置で保持され、ボディ１の窓部２８から青色Ｂが覗く開錠状態となる。この状態でキーＫの回動操作力を解除すると、キーロータ２０は、ねじりコイルばね４１により矢印Ｄ５方向（図６（ｄ）、図７（ｄ）参照）へ付勢され、作動部材１８が解除位置に維持された状態で、中立位置に復帰する（図６（ａ）、図７（ａ）参照）。この場合、キーロータ２０が中立位置に復帰しても、窓部２８からの青色Ｂの表示が維持される（図６（ｄ）、（ａ）参照）。また、物置本体に対するフック１５の係止が外れるため、扉１０を自由に開閉することができる。
【００３０】
次に、内側開錠レバー５３による開錠方法について図８も参照しながら説明する。図８（ａ）及び（ｂ）は、施錠時及び開錠時の錠装置についてカバー７を省略して示す背面図である。
図８（ａ）に示すキーロータ２０（の結合部４３）は、施錠が行われキー挿入穴２０ａからキーＫが引き抜かれた中立位置にあり、前記タンブラ４１によって開錠位置への回動が規制された状態（図６（ｃ）の状態）となっている。
【００３１】
そこで、物置の内部空間側から、内側開錠レバー５３の把持部５５を図８（ａ）中、矢印Ｄ３方向（反時計回り方向）へ回動操作すると、作動部材１８が同方向へ一体的に回動する。この場合、前述した遊び角θ３は、換言すればキーロータ２０が中立位置に維持された状態で、作動部材１８のロック位置から解除位置への回動を許容する角度に設定されているため、内側開錠レバー５３を前記遊び角θ３の分、回動操作すると、作動部材１８がロック位置から解除位置に４５度回動する。この回動に伴い、カムピン１９を介してフック１５が係止位置から退避位置に矢印Ｄ４方向（反時計回り方向）へ９０度回動した縦向きの状態となる（図８（ｂ）参照）。これにより、作動部材１８が節度付与手段４８によって解除位置で保持されると共に、物置本体に対するフック１５の係止が外れた開錠状態となるため、物置の扉１０を内部空間側から開けることができる。
【００３２】
以上説明したように、キーロータ２０と作動部材１８との間に前記遊び角θ３を設けたので、キーＫを用いることなく、内側開錠レバー５３によって、作動部材１８をロック位置から解除位置に回動させてフック１５を退避位置へ移動させることができる。
【００３３】
内側開錠レバー５３は、キーロータ２０の後部に設けられた作動部材１８の内部空間側に配置されており、又、前記遊び角θ３（４５度）の分の回動操作のみでフック１５を退避状態にできるので、内部空間側から容易に開錠することができる。この場合、フック１５は、カムピン１９に挿入される案内溝１７を備え且つ固有の支持ピン１４により軸支されることで、９０度回動するように構成されている。従って、物置本体に対してフック１５を係止状態と退避状態とに確実に切換えることができる。
キーＫによる施錠時および開錠時に、赤色Ｒおよび青色Ｂの表示が窓部３９から択一的に出現するように構成したので、物置内に人がいる状態でうっかり施錠してしまうことを防止することができる。
【００３４】
表示部材２５は、これら２つの表示（赤色Ｒ及び青色Ｂ）を一体に有するので簡単な構成にすることができると共に、窓部３９の長さ寸法Ｌ３が、表示部材２５の長さ寸法Ｌ１の略１／２倍に設定されているので、窓部３９から視認できる表示部材２５の表示領域を極力大きくとることができる。また、表示部材２５の長さ寸法Ｌ１を前述した送りアーム３７ａ，３７ｂ間の長さ寸法Ｌ２の略２／３倍に設定し、且つ送りアーム３７ａ，３７ｂ間の所定角度θ１をキーロータ２０の回動角度θ２の３／２倍に設定した。これによれば、キーロータの回動角度に応じた送りアーム３７ａ，３７ｂと表示部材２５との間の最適なギャップ（Ｌ２−Ｌ１）を演繹することができるので、キーロータが中立位置へ復帰する錠装置において、表示部材２５の表示の切換えを正確に行うことができる。
【００３５】
ボディ１に、内側開錠レバー５３の把持部５５の回動範囲に臨む採光用開口部５６を設け、カバー７の後壁部７ａに、採光用開口部５６に対向する位置に補助開口部５８を設けた。従って、これらの開口部５６，５８から物置内に外光を採り入れ、把持部５５の近傍部を照らすことができるので、内側開錠レバー５３の視認性を向上させることができる。また、採光用開口部５６を覆う透光性部材５７を、ボディ１の裏側に水密に設けたので、採光機能を損なうことなく、当該開口部５６からの雨水等の侵入を防止することができる。
【００３６】
ボディ１に設けたカバー７は、フック１５、シリンダ錠４及び作動部材１８を収容し、且つ内側開錠レバー５３の把持部５５を前記内部空間側に露出させると共に、側壁部７ｂに、フック１５の先端部１５ｂを露出させる切欠部８が形成されている。従って、カバー７によって、作動部材１８等の他の可動部材に使用者の手が触れないように保護することができ、把持部５５の操作を安全且つ容易なものとすることができる。
【００３７】
なお、本発明は上記した実施形態にのみ限定されるものではなく、次のように変形または拡張することができる。
本発明の錠装置は物置に限られず、大形の金庫など人が出入り可能な内部空間を有する構造体全般に適用できるものである。
【００３８】
送りアーム３７ａ、３７ｂを、リング部材３６の外周部に突設したが、ロータ本体３０の外周部に所定角度θ１を存して突設してもよい。表示部材２５を、キーロータ２０の周方向に沿う円弧状に形成したが、その接線方向に延びる直線状に形成してもよい。この場合、スライド溝３８、窓部３９も前記接線方向に沿うように形成することにより、上記実施形態と同様の効果を得ることができる。表示部材２５は、その表示につき赤色Ｒと青色Ｂ等、２色のものに限定するものではなく、「開」「閉」の文字を表示部材に印刷したものなど相互に異なる２つの表示を一体に有する構成であればよい。
【００３９】
節度付与手段２８，４８は、上記構成に限定するものではなく、表示部材２５或は作動部材１８に対し節度機能（ないし位置保持機能）を付与するものであればよい。例えば、節度付与手段４８に代えて、作動部材１８の第２扇状部１８ｂに沿う板ばねを、ボディ１に設ける。この場合、当該板ばねを、第２扇状部１８ｂに常時当接させて作動部材１８をロック位置側又は解除位置側へ付勢するよう「へ」の字状に形成することで、節度付与手段４８と同様の効果を得ることができる。この他、本発明は、採光用開口部５６及び補助開口部５８を、多数の丸孔から構成する等、適宜変更してもよい。
【図面の簡単な説明】
【００４０】
【図１】本発明の一実施形態を示すもので、（ａ）は施錠時における錠装置の正面図、（ｂ）は背面図
【図２】錠装置の構成部品を分解した状態の外観斜視図
【図３】図１（ａ）のＡ−Ａ線に沿う縦断側面図
【図４】（ａ）はシリンダ錠の背面側からの拡大斜視図、（ｂ）はキーロータとボディの背面側からの斜視図
【図５】組付け時の錠装置を示す背面側からの斜視図
【図６】（ａ）〜（ｄ）は、図４（ａ）のＢ−Ｂ線に沿うシリンダ錠の縦断正面図であって、施錠時および開錠時の錠装置の作動状態を説明するための図
【図７】（ａ）〜（ｄ）は、図３のＣ−Ｃ線に沿うフック、作動部材、及びキーロータの結合部の縦断正面図であって、図６（ａ）〜（ｄ）に対応させた図
【図８】（ａ）及び（ｂ）は、カバーを省略して示す錠装置の背面図であって、内側開錠レバーを用いて開錠するときの錠装置の作動状態を説明するための図
【符号の説明】
【００４１】
図面中、１はボディ、２は中央孔（シリンダ錠取付部）、３は小ボス部（シリンダ錠取付部）、４はシリンダ錠、７はカバー、８は切欠部、１５はフック、１８は作動部材、１９はカムピン、２０はキーロータ、２５は表示部材、３７ａ，３７ｂは送りアーム、３８はスライド溝、３９は窓部、４２はねじりコイルばね（付勢部材）、５３は内側開錠レバー、５５は把持部、５６は採光用開口部、５７は透光性部材、５８は補助開口部、Ｋはキーを示す。
【図１】
2009024335.tif 000003
【図２】
2009024335.tif 000004
【図３】
2009024335.tif 000005
【図４】
2009024335.tif 000006
【図５】
2009024335.tif 000007
【図６】
2009024335.tif 000008
【図７】
2009024335.tif 000009
【図８】
2009024335.tif 000010